(57)【要約】【課題】湛水管理を行うことなく稲を栽培でき、安価であり、かつ稲の生長を阻害することなく米中のカドミウム含有量を低減することができる稲の生長方法の提供。【解決手段】鉄水酸化物からなる鉄殿物のカドミウム吸収抑制剤を田圃に散布し、稲を栽培する稲の生長方法である。前記カドミウム吸収抑制剤における水酸化鉄（Ｆｅ（ＯＨ）３）の含有量が２５質量％以上であり、前記カドミウム吸収抑制剤を２５ｋｇ／５０ｍ２以上となるように田圃に散布する態様、などが好ましい。【選択図】なし【特許請求の範囲】
【請求項１】
鉄水酸化物からなる鉄殿物のカドミウム吸収抑制剤を田圃に散布し、稲を栽培することを特徴とする稲の生長方法。
【請求項２】
前記カドミウム吸収抑制剤における水酸化鉄（Ｆｅ（ＯＨ）３）の含有量が２５質量％以上であり、前記カドミウム吸収抑制剤を２５ｋｇ／５０ｍ２以上となるように田圃に散布する請求項１に記載の稲の生長方法。
【請求項３】
前記カドミウム吸収抑制剤が、
第一鉄及び該第一鉄以外の重金属を含有する液に、第二鉄塩を添加した後、アルカリを加えてｐＨ３．２以上とし、該ｐＨ３．２以上の状態を保持しながら水酸化第二鉄の沈殿を形成させ、固液分離により該水酸化物沈殿を除去することにより前記第一鉄以外の重金属を除去する除去工程と、
酸化剤を用いて前記第一鉄以外の重金属を除去後の処理液に含まれる２価鉄を３価鉄に酸化する酸化工程と、
前記酸化工程後の液を第一の中和剤でｐＨ４．０〜４．５に中和する第一の中和工程と、
前記第一の中和工程後の液を、第二の中和剤でｐＨ７．３〜８．３に中和する第二の中和工程と、
を含むカドミウム吸収抑制剤の製造方法により製造される請求項１から２のいずれかに記載の稲の生長方法。
【請求項４】
前記第二の中和工程後の液を固液分離して、鉄殿物を得る固液分離工程を含む請求項３に記載の稲の生長方法。
【発明の詳細な説明】
【技術分野】
【０００１】
本発明は、稲の生長方法に関する。
【背景技術】
【０００２】
カドミウム（Ｃｄ）は、天然資源として山地にあって、河川に含まれることもあり、農業用水、土壌で栽培された稲にはカドミウムが微量であるが含まれることがある。このため、米中のカドミウムの含有量を低減させる方法として、例えば、水田で稲を栽培する際の落水時期を調整する水位管理を行っている。しかし、収穫期には湛水管理することは困難である。
また、米へのカドミウム蓄積を減少させる手段として、例えば、人工ゼオライト（特許文献１参照）、糖蜜を主成分とするカドミウム吸収抑制資材（特許文献２参照）、などが提案されている。しかし、人工ゼオライトや糖蜜はコスト増となる方法であり、農家がカドミウム対策にかけられる費用はかなり抑えられることから、一般に採用することは困難である。
したがって、安価であり、かつ稲の生長を阻害することなく米中のカドミウム含有量を低減することができる技術の提供が望まれている。
【先行技術文献】
【特許文献】
【０００３】
【特許文献１】特開２００９−２７８８８１号公報
【特許文献２】特開２０１１−８３１９４号公報
【発明の概要】
【発明が解決しようとする課題】
【０００４】
本発明は、従来における前記諸問題を解決し、以下の目的を達成することを課題とする。即ち、本発明は、湛水管理を行うことなく稲を栽培でき、安価であり、かつ稲の生長を阻害することなく米中のカドミウム含有量を低減することができる稲の生長方法を提供することを目的とする。
【課題を解決するための手段】
【０００５】
前記課題を解決するための手段としては、以下の通りである。即ち、
＜１＞  鉄水酸化物からなる鉄殿物のカドミウム吸収抑制剤を田圃に散布し、稲を栽培することを特徴とする稲の生長方法である。
＜２＞  前記カドミウム吸収抑制剤における水酸化鉄（Ｆｅ（ＯＨ）３）の含有量が２５質量％以上であり、前記カドミウム吸収抑制剤を２５ｋｇ／５０ｍ２以上となるように田圃に散布する前記＜１＞に記載の稲の生長方法である。
＜３＞  前記カドミウム吸収抑制剤が、
第一鉄及び該第一鉄以外の重金属を含有する液に、第二鉄塩を添加した後、アルカリを加えてｐＨ３．２以上とし、該ｐＨ３．２以上の状態を保持しながら水酸化第二鉄の沈殿を形成させ、固液分離により該水酸化物沈殿を除去することにより前記第一鉄以外の重金属を除去する除去工程と、
酸化剤を用いて前記第一鉄以外の重金属を除去後の処理液に含まれる２価鉄を３価鉄に酸化する酸化工程と、
前記酸化工程後の液を第一の中和剤でｐＨ４．０〜４．５に中和する第一の中和工程と、
前記第一の中和工程後の液を、第二の中和剤でｐＨ７．３〜８．３に中和する第二の中和工程と、
を含むカドミウム吸収抑制剤の製造方法により製造される前記＜１＞から＜２＞のいずれかに記載の稲の生長方法である。
＜４＞  前記第二の中和工程後の液を固液分離して、鉄殿物を得る固液分離工程を含む前記＜３＞に記載の稲の生長方法である。
【発明の効果】
【０００６】
本発明によると、従来における前記諸問題を解決することができ、湛水管理を行うことなく稲を栽培でき、安価であり、かつ稲の生長を阻害することなく米中のカドミウム含有量を低減することができる稲の生長方法を提供することができる。
【図面の簡単な説明】
【０００７】
【図１】図１は、本発明で用いられるカドミウム吸収抑制剤の製造方法の一例を示す工程図である。
【図２】図２は、実施例１における米中のカドミウム含有量の分析方法を示す工程図である。
【図３】図３は、実施例２〜３及び比較例１の米中のカドミウム含有量の結果を示したグラフである。
【発明を実施するための形態】
【０００８】
（稲の生長方法）
本発明の稲の生長方法は、鉄水酸化物からなる鉄殿物のカドミウム吸収抑制剤を田圃に散布し、稲を栽培することを特徴とする。
【０００９】
前記稲の生長方法において用いられるカドミウム吸収抑制剤である鉄殿物は、鉄水酸化物であるが、鉄鉱山の廃液及び鉄精錬工場からの排水を原料として、３価の鉄水酸化物と他の硫酸塩とが複合されているものである。このような鉄殿物のカドミウム吸収抑制剤を生成するための製法について下記に説明する。
【００１０】
＜カドミウム吸収抑制剤の製造方法＞
前記カドミウム吸収抑制剤の製造方法は、第一鉄及び該第一鉄以外の重金属を含有する液に対し、除去工程と、酸化工程と、中和工程（第一の中和工程及び第二の中和工程）とを含み、固液分離工程を含むことが好ましく、更に必要に応じてその他の工程を含んでなる。
【００１１】
本発明においては、米中のカドミウム蓄積を低減する方法として、第一鉄及び該第一鉄以外の重金属を含有する液を所定の処理を行って得られた水酸化鉄Ｆｅ（ＯＨ）３を２５質量％以上含有する鉄殿物を田圃の土壌に散布することにより、米中のカドミウムの含有量を減少できることを知見した。これにより、鉄鉱山の廃液及び鉄精錬工場からの排水を処理して発生した鉄殿物を利用するため、費用は安価であり、かつ鉄鉱山の廃液及び鉄精錬工場からの排水のリサイクルが可能となる。
【００１２】
＜＜除去工程＞＞
前記除去工程は、第一鉄及び該第一鉄以外の重金属を含有する液に、第二鉄塩を添加した後、アルカリを加えてｐＨ３．２以上とし、該ｐＨ３．２以上の状態を保持しながら水酸化第二鉄の沈殿を形成させ、固液分離により該水酸化物沈殿を除去することにより前記第一鉄以外の重金属を除去する工程である。
【００１３】
−第一鉄及び該第一鉄以外の重金属を含有する液−
前記第一鉄及び該第一鉄以外の重金属を含有する液としては、少なくとも第一鉄及び該鉄以外の重金属を含有していれば特に制限はなく、目的に応じて適宜選択することができ、例えば、自然環境に存在する各種の水（例えば、河川水、湖沼水、温泉排水、地熱水、又は鉱山跡地からの排水）、産業排水（例えば、農薬工場、薬品工場、硫酸精錬工場、木材防腐処理施設、ガラス製造工場、金属製錬工場、非鉄精錬工場、電子部品製造施設、ゴミ処理施設、又は地熱発電所からの産業排水）、化学実験室、生物実験室などで生成される排水、などが挙げられる。これらの中でも、鉄鉱山の廃液及び鉄精錬工場からの排水は酸性水であり、量が多く、半永久的に処理しなければならないことから、安全かつ有効に処理することが望まれている。
【００１４】
前記第一鉄及び該第一鉄以外の重金属を含有する液に含まれる２価の鉄イオンの濃度としては、特に制限はなく、目的に応じて適宜選択することができるが、５００ｐｐｍ〜３，０００ｐｐｍが好ましい。
前記第一鉄及び該第一鉄以外の重金属を含有する液に含まれる前記第一鉄以外の重金属としては、例えば、砒酸、亜砒酸、セレン酸、亜セレン酸、クロム酸などの酸素酸アニオン、銅、亜鉛、マンガン、カドミウム、などが挙げられる。
【００１５】
−第二鉄塩−
前記第二鉄塩としては、特に制限はなく、目的に応じて適宜選択することができるが、ポリ硫酸第二鉄が好ましい。
前記ポリ硫酸第二鉄は、式：［Ｆｅ２（ＯＨ）ｎ（ＳＯ４）３−ｎ／２］ｍ〔ただし、式中、ｎ＜２であり、ｍ＞１０である。〕で表される化合物である。
前記ポリ硫酸第二鉄としては、適宜合成したものを使用してもよいし、市販品を使用してもよい。前記市販品としては、例えば、ポリテツ  Ｒ（日鉄鉱業株式会社製）、バイオフェリック（卯根倉鉱業株式会社製）、などが挙げられる。
前記第一鉄及び該第一鉄以外の重金属を含有する液に前記ポリ硫酸第二鉄を添加すると、水酸化第二鉄が析出し、この析出した水酸化第二鉄が凝集して沈降する。水酸化第二鉄が析出して凝集する際に、第一鉄及び該第一鉄以外の重金属を含有する液中の前記第一鉄以外の重金属を捕捉するものと考えられる。
【００１６】
前記第二鉄塩としてのポリ硫酸第二鉄の添加量は、特に制限はなく、目的に応じて適宜選択することができるが、前記第一鉄及び該第一鉄以外の重金属を含有する液に対して、１０ｇ／Ｌ以下が好ましく、０．５ｇ／Ｌ〜１０ｇ／Ｌがより好ましく、１ｇ／Ｌ〜５ｇ／Ｌが更に好ましい。
前記添加量が、０．５ｇ／Ｌ未満であると、第一鉄以外の重金属の除去効果が低下してしまうことがあり、１０ｇ／Ｌを超えると、アルカリ消費量が多くなり、コストが高くなってしまう。
【００１７】
−アルカリ−
前記アルカリとしては、特に制限はなく、目的に応じて適宜選択することができ、例えば、苛性ソーダ（ＮａＯＨ）、苛性カリ（ＫＯＨ）；石灰、生石灰（ＣａＯ）、消石灰（Ｃａ（ＯＨ）２）、炭酸カルシウム等のカルシウム（Ｃａ）系アルカリ剤；酸化マグネシウム、水酸化マグネシウム等のマグネシウム（Ｍｇ）系アルカリ剤などが挙げられる。これらは、１種単独で使用してもよいし、２種以上を併用してもよい。
【００１８】
−ｐＨの調整−
前記第一鉄及び該第一鉄以外の重金属を含有する液に、前記第二鉄塩としてのポリ硫酸第二鉄を添加した後、アルカリを加えてｐＨを３．２以上が好ましく、ｐＨを３．６〜４．５に調整することがより好ましい。前記ｐＨ３．２以上の状態を保持しながら水酸化第二鉄の沈殿を形成させ、固液分離により該水酸化物沈殿を除去する。
前記ｐＨが、３．２未満であると、第一鉄以外の重金属の除去能力が低下してしまうことがあり、ｐＨが４．５を超えると、第一鉄の殿物の量が徐々に増加し、ｐＨが６以上になると殿物の発生量が急激に増加するので、ｐＨ３．６〜４．５がより好ましい。前記ｐＨが、前記より好ましい範囲であると、第一鉄以外の重金属の除去の観点から有利である。
前記ｐＨは、例えば、市販のｐＨメーターにより測定することができる。
【００１９】
＜＜酸化工程＞＞
前記酸化工程は、酸化剤を用いて前記第一鉄以外の重金属を除去後の処理液に含まれる２価鉄を３価鉄に酸化する工程である。
前記第一鉄の酸化法としては、特に制限はなく、目的に応じて適宜選択することができ、例えば、鉄酸化細菌、次亜塩素酸塩、過酸化水素、空気、酸素ガス、オゾンガス、オゾン水、などが挙げられる。これらの中でも、薬剤コストと、酸化効率の観点から、鉄酸化細菌が特に好ましい。
【００２０】
前記鉄酸化細菌としては、前記除去工程後の処理液中で酸化力を有するものであれば特に制限はなく、目的に応じて適宜選択することができ、例えば、チオバチルス・フェロオキシダント（Ｔｈｉｏｂａｃｈｉｌｌｕｓ ｆｅｒｒｏｏｘｉｄａｎｓ）などが挙げられる。これらの中でも、チオバチルス・フェロオキシダントが特に好ましい。チオバチルス・フェロオキシダントは、ｐＨ２〜３で生息し、酸化活性を有するので、ｐＨが低い環境下で２価鉄を３価鉄まで迅速に酸化することができる。
前記鉄酸化細菌による２価鉄の酸化反応は、以下の式で表される。
Ｆｅ２＋  ＋  Ｈ＋＋１／４Ｏ２  →  Ｆｅ３＋  ＋  １／２Ｈ２Ｏ
前記鉄酸化細菌の前記除去工程後の処理液への添加は、一度に行ってもよいが、数回に分けて行ってもよい。連続酸化処理を行う場合には、鉄酸化細菌を適宜補充することが好ましい。
前記鉄酸化細菌の前記除去工程後の処理液への添加量は、前記除去工程後の処理液中の２価鉄の濃度などに応じて適宜選択することができる。
【００２１】
＜＜第一の中和工程＞＞
前記第一の中和工程は、前記酸化工程後の液を第一の中和剤でｐＨ４．０〜４．５に中和する工程である。
前記第一の中和剤としては、特に制限はなく、目的に応じて適宜選択することができるが、薬剤コストの点から、炭酸カルシウムが好ましい。
前記第一の中和剤の前記酸化工程後の液への添加は、一度に行ってもよいが、数回に分けて行ってもよい。
【００２２】
＜＜第二の中和工程＞＞
前記第二の中和工程は、前記第一の中和工程後の液を、第二の中和剤でｐＨ７．３〜８．３に中和する工程である。前記ｐＨは、中和処理水の排水基準により規定される。
前記第二の中和剤としては、特に制限はなく、目的に応じて適宜選択することができるが、発生殿物の沈降性の点から、消石灰が好ましい。
前記第二の中和剤の前記第一の中和工程後の液への添加は、一度に行ってもよいが、数回に分けて行ってもよい。
【００２３】
＜＜固液分離工程＞＞
前記固液分離工程は、前記第二の中和工程後の液を固液分離して、鉄殿物を得る工程である。
前記固液分離としては、特に制限はなく、目的に応じて適宜選択することができ、例えば、膜濾過、吸引濾過、加圧濾過、沈降分離、遠心分離、などが挙げられる。
前記固液分離工程は、具体的には、シックナーで固液分離した後、フィルタープレスにより水分を除去して、含水率６０％以下の鉄殿物が得られる。
【００２４】
得られた鉄殿物の水酸化鉄（Ｆｅ（ＯＨ）３）の含有量は、特に制限はなく、目的に応じて適宜選択することができるが、２５質量％以上が好ましく、５０質量％以上がより好ましい。前記水酸化鉄の含有量が、２５質量％未満であると、十分なカドミウム吸収抑制効果が得られないことがある。即ち、前記鉄殿物は、水酸化鉄のみであってもよく、水酸化鉄が含まれており、田圃に散布後に分解されない状態であればよい。
前記鉄殿物は水酸化鉄以外にも、ＣａＳＯ４、ＣａＯ、水酸化アルミニウム、ＳｉＯ２などを含有しているが、Ｃｄ、Ｃｒ、Ａｓ等の重金属は含有していない。
【００２５】
得られた鉄殿物は、優れたカドミウム吸収抑制効果を有しており、そのままカドミウム吸収抑制剤として、本発明の稲の生長方法に用いることができる。
【００２６】
本発明の稲の生長方法によれば、前記カドミウム吸収抑制剤を田圃に散布し、湛水管理を行うことなく稲を栽培することにより、安価にかつ稲の生長を阻害することなく、米中のカドミウム含有量を低減することができ、無カドミウム含有米を製造できる。なお、前記米は、玄米であっても白米であっても構わない。
ここで、前記無カドミウム含有米における「カドミウムを含有していない」とは、誘導結合プラズマ質量分析装置（Ａｇｉｌｅｎｔ社製、Ａｇｉｌｅｎｔ７５００  ＩＣＰ−ＭＳ)を用いた測定により、０．０４質量ｐｐｍ以下であることを意味する。
【００２７】
前記稲の栽培は、落水時期を調整する水位管理を行うことなく、普通に行われている方法で行うことができる。
前記カドミウム吸収抑制剤の田圃への散布は、特に制限はなく、目的に応じて適宜選択することができるが、田圃を隆起し、田圃の土壌に散布する方法、などが挙げられる。
前記カドミウム吸収抑制剤の田圃への散布量は、特に制限はなく、目的に応じて適宜選択することができるが、水酸化鉄の含有量が２５質量％以上のカドミウム吸収抑制剤であれば、２５ｋｇ／５０ｍ２以上が好ましく、５０ｋｇ／５０ｍ２以上がより好ましい。前記田圃へのカドミウム吸収抑制剤の散布量が、２５ｋｇ／５０ｍ２未満であると、十分なカドミウム吸収抑制効果が得られないことがある。
【実施例】
【００２８】
以下、本発明の実施例を説明するが、本発明は、これらの実施例に何ら限定されるものではない。
【００２９】
（実施例１）
−カドミウム吸収抑制剤の作製−
下記表１に示す組成の硫化鉄鉱床の鉱山廃水を用い、図１に示す方法により、カドミウム吸収抑制剤としての鉄殿物を製造した。
【００３０】
【表１】
2014150754.tif 000002
【００３１】
まず、硫化鉄鉱床の鉱山廃水に２８℃で、第二鉄塩としてのポリ硫酸第二鉄（バイオフェリック、卯根倉鉱業株式会社製）を０．７ｇ／Ｌ添加した。ポリ硫酸第二鉄を含む排水を撹拌し、次いで、２４％苛性ソーダを添加しながら、ｐＨを３．６とした。ｐＨ３．６の状態を保持しながら水酸化第二鉄の沈殿を形成させ、シックナーにより殿物スラリーと上澄水とに分離した（除去工程）。なお、ｐＨは、ｐＨメーター（株式会社堀場製作所製、ＨＯＲＩＢＡ  ９６２５−１０Ｄ）を用いて測定した。
【００３２】
次に、鉄酸化細菌としてチオバチルス・フェロオキシダンス（Ｔｈｉｏｂａｃｈｉｌｌｕｓ ｆｅｒｒｏｏｘｉｄａｎｓ）を用いて、前記除去工程後の濾液に含まれる２価鉄を３価鉄に酸化した（酸化工程）。
次に、酸化工程後の処理液をシックナーによりバクテリア酸化殿物スラリーと上澄水に分離した。
次に、前記酸化工程後の上澄水を炭酸カルシウムでｐＨ４．０〜４．５に中和した（第一の中和工程）。
次に、前記第一の中和工程後の液を消石灰でｐＨ７．３〜８．３に中和した（第二の中和工程）。
次に、第二の中和工程後の液をシックナーで固液分離した後、フィルタープレスにより含水率６０％以下の鉄殿物を得た。
得られたカドミウム吸収抑制剤としての鉄殿物の組成を下記表２に示した。
【００３３】
【表２】
2014150754.tif 000003
表２の結果から、得られたカドミウム吸収抑制剤としての鉄殿物は、水酸化鉄（Ｆｅ（ＯＨ）３）を５２質量％含み、Ｃｄ、Ｃｒ、Ａｓ等の重金属は含有しないことがわかった。なお、Ｃｄ、Ｃｒ、Ａｓの含有量の単位は質量ｐｐｍである。
【００３４】
＜稲の栽培＞
稲の栽培は国内の試験田圃で実施した。この田圃には窒素、カリウム、及びリン酸を含む肥料を０．２５ｋｇ／ｍ２となるように散布した。
【００３５】
（実施例２）
５０ｍ２の前記試験田圃を降起し、カドミウム吸収抑制剤としての前記実施例１の鉄殿物を０．５ｋｇ／ｍ２散布した後、代掻きを実施し、水位管理を行わないで稲を栽培した。前記試験田圃の落水は夏に実施した。稲刈りは４２日後に実施した。収穫した稲を乾燥させ、以下のようにして、玄米の収穫量を測定したところ０．５５ｋｇ／ｍ２であった。また、以下のようにして、玄米中のカドミウム含有量を測定した。結果を表３及び図３に示した。
【００３６】
＜玄米の収穫量の測定＞
実施例で収穫した玄米を風乾後、重量を測定し、単位面積当たりの収穫量を算出した。
【００３７】
＜玄米中のカドミウム含有量の測定＞
収穫した玄米に含まれるカドミウム含有量の分析方法を図２に示す。
玄米２ｇを秤取し、王水〔有害金属測定用塩酸（関東化学株式会社製）と有害金属測定用硝酸（関東化学株式会社製）を３：１（体積比）で混合したもの〕で３回湿式分解した。分解後の残渣は有害金属測定用硝酸（関東化学株式会社製）で溶解した。カドミウムの測定には、誘導結合プラズマ質量分析装置（Ａｇｉｌｅｎｔ社製、Ａｇｉｌｅｎｔ７５００  ＩＣＰ−ＭＳ)を用いた。なお、カドミウムの核種はｚ／ｍ＝１１０、１１１、１１２、１１４を用いた。
【００３８】
（実施例３）
５０ｍ２の前記試験田圃を降起し、カドミウム吸収抑制剤としての前記実施例１の鉄殿物を１ｋｇ／ｍ２散布した後、代掻きを実施し、水位管理を行わないで稲を栽培した。前記試験田圃の落水は夏に実施した。稲刈りは４２日後に実施した。収穫した稲を乾燥させ、実施例２と同様にして、玄米の収穫量を測定したところ０．５５ｋｇ／ｍ２であった。また、実施例２と同様にして、玄米中のカドミウム含有量を測定した。結果を表３及び図３に示した。
【００３９】
（比較例１）
従来と同様にして５０ｍ２の前記試験田圃を降起し、代掻きを実施した後、水位管理を行って稲を栽培した。前記試験田圃の落水は水位管理を実施するため秋に実施した。稲刈りは３０日後に実施した。収穫した稲を乾燥させ、実施例２と同様にして、玄米の収穫量を測定したところ０．５５ｋｇ／ｍ２であった。また、実施例２と同様にして、玄米中のカドミウム含有量を測定した。結果を表３及び図３に示した。
【００４０】
【表３】
2014150754.tif 000004
表３及び図３の結果から、実施例２及び３は、水位管理を行わなかったにも関わらず、玄米中のカドミウム含有量は、比較例１に比べて３４％〜６８％低下した。
また、実施例２及び３の玄米の収穫量は、比較例１の収穫量と同等であり、カドミウム吸収抑制剤としての鉄殿物の散布による稲の栽培に対する阻害効果は確認されなかった。
【００４１】
＜カドミウムの吸収挙動の測定＞
前記実施例３と前記比較例１について、採取日数を変えて稲の根圏、穂などに含まれるカドミウム含有量を測定した。結果を表４に示す。なお、採取日数とは、最初の採取月日からの経過日数を意味する。
【００４２】
【表４】
2014150754.tif 000005
表４の結果から、比較例１及び実施例３ともに、田圃の落水以降カドミウム含有量が上昇する傾向が認められた。稲の根圏に含まれるカドミウムはその後、稲の穂に吸収され蓄積される。実施例３の結果から、土壌中にカドミウム吸収抑制剤としての鉄殿物を添加した場合、稲の根圏へのカドミウムの吸収が２５％〜４５％に抑制されていることが認められた。このことから、稲の根圏でのカドミウムの取り込み抑制効果が収穫する玄米へのカドミウム吸収抑制に効果的であることがわかった。
【図３】
2014150754.tif 000006
【図１】
2014150754.tif 000007
【図２】
2014150754.tif 000008